(57)【要約】【課題】従来は番組表にユーザが所望した番組がなかった場合には、どの分類情報をどのようなキーワードに変更すればどのような番組表の表示結果が得られるかが非常に判り難く、また、複数のキーワード候補を持った要求に簡単な操作で対応することは困難である。【解決手段】嗜好キーワード作成及び嗜好度調整手段１０６は、嗜好度の高い順に嗜好キーワード１１２を並べ、その中から移動するフォーカスにより任意のキーワードを指定することが可能な嗜好キーワード・レベルゲージを備えた構成とし、その嗜好キーワード・レベルゲージを表示されている番組表の傍に配置する。ユーザ２００はリモコンを操作してフォーカスを移動して任意のキーワードを指定する。番組情報検索・分類手段１０７は、指定キーワードに該当する番組と、指定キーワードよりも嗜好度の高いキーワード群に該当する番組とを検索・分類し、それらを識別できるように番組表の表示を行わせる。【選択図】図１
2009010848.tif 000002
【特許請求の範囲】
【請求項１】
取得した番組情報に基づいて番組表を作成し、作成したその番組表を特定の番組が識別できるように表示する番組情報処理装置において、
前記番組情報を格納する番組情報格納手段と、
前記番組情報格納手段から得た前記番組情報に含まれており、かつ、少なくとも番組視聴履歴に基づいて判断した一定値以上の高い嗜好度を示すキーワードである嗜好キーワードを格納する嗜好キーワード格納手段と、
前記嗜好キーワード格納手段に格納されている複数の前記嗜好キーワードを嗜好度の高い順に配置した嗜好キーワード群を作成して表示し、表示したその嗜好キーワード群の中から、外部入力操作に応じて任意の一つの嗜好キーワードを選択指定する嗜好キーワード作成及び嗜好度調整手段と、
前記嗜好キーワード作成及び嗜好度調整手段により指定された嗜好キーワードに該当する第１の番組と、該指定された嗜好キーワードよりも嗜好度の高いキーワード群に該当する第２の番組とを、前記番組情報格納手段からの前記番組情報から検索及び分類して、検索及び分類結果を得る番組情報検索・分類手段と、
前記検索及び分類結果に基づいて、前記第１の番組と前記第２の番組とを識別できる表示形態の番組表を作成して、その番組表を表示する番組表表示手段と
を有することを特徴とする番組情報処理装置。
【請求項２】
取得した番組情報に基づいて番組表を作成し、作成したその番組表を特定の番組が識別できるように表示する番組情報処理装置において、
前記番組情報を格納する番組情報格納手段と、
前記番組情報格納手段から得た前記番組情報に含まれており、かつ、少なくとも番組視聴履歴に基づいて判断した一定値以上の高い嗜好度を示すキーワードである嗜好キーワードを格納する嗜好キーワード格納手段と、
前記嗜好キーワード格納手段に格納されている複数の前記嗜好キーワードのそれぞれについて、前記番組情報格納手段から得た前記番組情報に基づいて、その嗜好キーワードが該当する番組数を検出し、検出した番組数を対応付けて前記複数の嗜好キーワードを嗜好度の高い順に配置した嗜好キーワード群を作成し、作成したその嗜好キーワード群の中から、前記番組数が１以上である最も嗜好度の高い嗜好キーワードを指定する嗜好キーワード作成及び嗜好度調整手段と、
前記嗜好キーワード作成及び嗜好度調整手段により指定された嗜好キーワードに該当する番組を、前記番組情報格納手段からの前記番組情報から検索及び分類して、検索及び分類結果を得る番組情報検索・分類手段と、
前記検索及び分類結果により得られた番組を他の番組と識別できる表示形態の番組表を作成して、その番組表を表示する番組表表示手段と
を有することを特徴とする番組情報処理装置。
【請求項３】
取得した番組情報に基づいて番組表を作成し、作成したその番組表を特定の番組が識別できるように表示する処理を、コンピュータにより実行させる番組情報処理プログラムであって、
前記コンピュータに、
前記番組情報を第１の記憶部に格納する第１のステップと、
前記第１の記憶部から得た前記番組情報に含まれており、かつ、少なくとも番組視聴履歴に基づいて判断した一定値以上の高い嗜好度を示すキーワードである嗜好キーワードを第２の記憶部に格納する第２のステップと、
前記第２の記憶部に格納されている複数の前記嗜好キーワードを嗜好度の高い順に配置した嗜好キーワード群を作成して表示部に表示させる第３のステップと、
表示した前記嗜好キーワード群の中から、外部入力操作に応じて任意の一つの嗜好キーワードを選択指定する第４のステップと、
前記第４のステップにより指定された嗜好キーワードに該当する第１の番組と、該指定された嗜好キーワードよりも嗜好度の高いキーワード群に該当する第２の番組とを、前記第１の記憶部からの前記番組情報から検索及び分類して、検索及び分類結果を得る第５のステップと、
前記検索及び分類結果に基づいて、前記第１の番組と前記第２の番組とを識別できる表示形態の番組表を作成して、その番組表を表示する第６のステップと
を実行させるようにした番組情報処理プログラム。
【請求項４】
取得した番組情報に基づいて番組表を作成し、作成したその番組表を特定の番組が識別できるように表示する処理を、コンピュータにより実行させる番組情報処理プログラムであって、
前記コンピュータに、
前記番組情報を第１の記憶部に格納する第１のステップと、
前記第１の記憶部から得た前記番組情報に含まれており、かつ、少なくとも番組視聴履歴に基づいて判断した一定値以上の高い嗜好度を示すキーワードである嗜好キーワードを第２の記憶部に格納する第２のステップと、
前記第２の記憶部に格納されている複数の前記嗜好キーワードのそれぞれについて、前記第１の記憶部から得た前記番組情報に基づいて、その嗜好キーワードが該当する番組数を検出する第３のステップと、
前記第３のステップで検出した番組数を対応付けて前記第２の記憶部に格納されている複数の前記嗜好キーワードを嗜好度の高い順に配置した嗜好キーワード群を作成する第４のステップと、
前記第４のステップで作成した前記嗜好キーワード群の中から、前記番組数が１以上である最も嗜好度の高い嗜好キーワードを指定する第５のステップと、
前記第５のステップにより指定された嗜好キーワードに該当する番組を、前記第１の記憶部からの前記番組情報から検索及び分類して、検索及び分類結果を得る第６のステップと、
前記検索及び分類結果により得られた番組を他の番組と識別できる表示形態の番組表を作成して、その番組表を表示する第７のステップと
を実行させるようにした番組情報処理プログラム。
【発明の詳細な説明】
【技術分野】
【０００１】
本発明は番組情報処理装置及び番組情報処理プログラムに係り、特に放送波から又はネットワーク経由で取得したチャンネル名、番組名、ジャンル名、出演者名などのキーワードを含む番組情報を処理して、番組表をユーザに分かり易く表示するための番組情報処理装置及び番組情報処理プログラムに関する。
【背景技術】
【０００２】
近年、衛星放送やデジタル放送の普及、発達により、大量のチャンネルによって放送番組や画像情報が配信されるようになって来ている。このような放送番組等の番組表（プログラム・ガイド）を視聴者に届ける場合、チャンネル数が多いことから当然番組表のコマ数も多くなるため、その多くの番組の中からユーザが所望する番組を判り易く、かつ、効率良く表示するための各種提案がなされている。
【０００３】
上記の提案としては、放送波からの抽出やネットワーク経由で取得した図１２に示したようなチャンネル名、番組名、ジャンル名、出演者名などの番組情報４００（分類情報４  ０１およびその番組データ４０２であるキーワード４０３）と、図１３（ａ）、（ｂ）に分類情報「ジャンル」及び「出演者」別に例示したように、ユーザの視聴履歴や録画履歴から得た視聴回数４１２を基にユーザの嗜好度４１３が高いと判断した嗜好キーワード４１１とを用いて、ユーザの嗜好に沿った番組を提示する方法が数多く提案されている。しかし、この提案ではユーザの嗜好を完全に反映して特定の番組を表示することは非常に困難である。
【０００４】
そこで、この問題をふまえて、ユーザの指示に応じて番組表の表示方法を変化させることで、ユーザの番組選択を補助するという手段が開示されている（例えば、特許文献１、特許文献２参照）。特許文献１記載の番組情報処理装置は、図１２に示したチャンネル、番組、ジャンル、出演者などの分類情報４０１のうち２項目をユーザに選択させ、番組表の２軸（縦軸と横軸）に選択された各分類情報４０１のキーワード４０３を並べ、２軸のキーワードの交差する位置に該当する番組を表示している。
【０００５】
また、特許文献２記載の放送番組の表示方法及び放送番組表示装置及び放送受信器は、ユーザに設定された分類情報４０１毎のキーワードに従い、キーワードに該当する番組とその他の番組を色分けや文字サイズの変更など様々な方法により視認性を持たせて、ユーザの番組選択を補助している。
【０００６】
図１４は、上記の従来の番組情報処理装置の一例の概略ブロック図を示す。同図において、従来の番組情報処理装置１００は、放送波から抽出した、又はネットワーク経由で取得したチャンネル名、番組名、ジャンル名、出演者名などのキーワードを含む番組情報１１１を格納した番組情報格納手段１０１と、ユーザの視聴履歴や録画履歴から視聴回数などを基にユーザの嗜好度が高いと判断した嗜好キーワード１１２を格納した嗜好キーワード格納手段１０２と、ユーザ２００からのリモコン操作により受け付けた番組表への反映を所望するキーワード１１３を選択するキーワード選択手段１０３とを用いて、番組情報検索・分類手段１０４が特定の番組を検索及び分類して検索及び分類結果１１４を得る。
【０００７】
そして、番組表表示手段１０５が検索及び分類結果１１４に応じて特定の番組を検索及び分類し、番組表表示手段１０５が検索及び分類結果１１４に応じて特定の番組を識別できるようにして番組表をユーザに判り易く表示する。
【０００８】
図１５及び図１６は、特許文献１記載の番組情報処理装置の番組表表示例を示す。前述の図１４において、キーワード選択手段１０３を介してユーザ２００がリモコンなどを操作して番組表３００への反映を所望する２つの分類情報を指定することで、番組情報検索・分類手段１０４が図１５及び図１６に示した番組表３００の縦軸３０１、横軸３０２を指定された分類情報のキーワードを用いた列・行として動的に変化させ、図１４の番組表表示手段１０５がそれぞれのキーワードの交差した番組３０３をユーザの所望した番組として図１５や図１６のように提示するものである。
【０００９】
図１５は縦軸３０１の分類情報に日時を指定し、横軸３０２の分類情報にジャンルを指定した場合の番組表３００の表示例を示し、図１６は縦軸３０１の分類情報に日時を指定し、横軸３０２の分類情報にチャンネルを指定した場合の番組表３００の表示例を示す。また、図１５及び図１６に示すように、各軸の分類情報を変更するための分類情報変更インターフェース３０７が横軸３０１と縦軸３０２に沿って設けられている。
【００１０】
図１７は、特許文献２記載の放送番組の表示方法及び放送番組表示装置及び放送受信器の番組表表示例を示す。ユーザがリモコンなどを操作して図１７（ａ）のような分類情報選択インターフェース３０７によって分類情報として「ジャンル」を選択し、続いて図１７（ｂ）のようなキーワード選択インターフェース３０８によって「ドラマ」および「ニュース」をキーワードとして選択することで、図１７（ｃ）に示したように該当する番組３０３を図１４の番組情報検索・分類手段１０４により分類して、図１４の番組表表示手段１０５が当該番組３０３をその他の番組と識別できるように例えば色分けして、その他の番組との視認性を持たせてユーザに判り易く提示するものである。
【００１１】
【特許文献１】特許第３４１３０６５号公報
【特許文献２】特開２００３−４６８９７号公報
【発明の開示】
【発明が解決しようとする課題】
【００１２】
しかしながら、特許文献１記載の番組情報処理装置では、図１５のように番組表の横軸３０１、縦軸３０２のキーワードの表示範囲は狭く一覧性が低いため、表示されたキーワード以外にはどのようなキーワードがあるかが判り難い。また、本来ユーザが馴染んだ番組表の表示を実現するためには、分類情報選択インターフェース３０７によって図１６のように２軸の分類情報として「日時」と「チャンネル」を再度指定する手間がある。
【００１３】
一方、特許文献２記載の放送番組の表示方法及び放送番組表示装置及び放送受信器では、図１７（ｃ）に示したように番組表３００においてユーザが指定したキーワードは明示されておらず、また、キーワードの再指定には図１７（ａ）の分類情報選択インターフェース３０７、図１７（ｂ）のキーワード選択インターフェース３０８を介する必要があるため、番組表３００にユーザが所望した番組３０３がなかった場合には、どの分類情報をどのようなキーワードに変更すればどのような番組表の表示結果が得られるかが非常に判り難い。
【００１４】
更に、特許文献１記載の番組情報処理装置、特許文献２記載の放送番組の表示方法及び放送番組表示装置及び放送受信器ともに分類情報やキーワードをユーザがリモコンなどを操作して１つずつ選択する形で行われており、ユーザがジャンルに関しては「ドラマが見たい」というような一つのキーワードに絞った明確な要求に対しては問題ないが、より現実的なユーザ嗜好である「スポーツも特定の出演者のドラマや番組も見たい」というような複数のキーワード候補を持った要求に簡単な操作で対応することは困難である。
【００１５】
本発明は、以上の点に鑑みなされたものであり、一つのキーワードに絞った明確な要求だけでなく、より現実的なユーザ嗜好である複数のキーワード候補を持った要求にも対応し、ユーザからの極めて簡単なリモコン操作だけで番組表への反映状況を常に確認しながら、容易に視聴したい番組群を絞り込み・拡大することが可能な番組情報処理装置及び番組情報処理プログラムを提供することを目的とする。
【課題を解決するための手段】
【００１６】
上記目的を達成するために、第１の発明の番組情報処理装置は、番組情報を格納する番組情報格納手段と、番組情報格納手段から得た番組情報に含まれており、かつ、少なくとも番組視聴履歴に基づいて判断した一定値以上の高い嗜好度を示すキーワードである嗜好キーワードを格納する嗜好キーワード格納手段と、嗜好キーワード格納手段に格納されている複数の嗜好キーワードを嗜好度の高い順に配置した嗜好キーワード群を作成して表示し、表示したその嗜好キーワード群の中から、外部入力操作に応じて任意の一つの嗜好キーワードを選択指定する嗜好キーワード作成及び嗜好度調整手段と、嗜好キーワード作成及び嗜好度調整手段により指定された嗜好キーワードに該当する第１の番組と、指定された嗜好キーワードよりも嗜好度の高いキーワード群に該当する第２の番組とを、番組情報格納手段からの番組情報から検索及び分類して、検索及び分類結果を得る番組情報検索・分類手段と、検索及び分類結果に基づいて、第１の番組と第２の番組とを識別できる表示形態の番組表を作成して、その番組表を表示する番組表表示手段とを有することを特徴とする。
【００１７】
また、上記の目的を達成するため、第２の発明の番組情報処理装置は、番組情報を格納する番組情報格納手段と、番組情報格納手段から得た番組情報に含まれており、かつ、少なくとも番組視聴履歴に基づいて判断した一定値以上の高い嗜好度を示すキーワードである嗜好キーワードを格納する嗜好キーワード格納手段と、嗜好キーワード格納手段に格納されている複数の嗜好キーワードのそれぞれについて、番組情報格納手段から得た番組情報に基づいて、その嗜好キーワードが該当する番組数を検出し、検出した番組数を対応付けて複数の嗜好キーワードを嗜好度の高い順に配置した嗜好キーワード群を作成し、作成したその嗜好キーワード群の中から、番組数が１以上である最も嗜好度の高い嗜好キーワードを自動指定する嗜好キーワード作成及び嗜好度調整手段と、嗜好キーワード作成及び嗜好度調整手段により自動指定された嗜好キーワードに該当する番組を、番組情報格納手段からの番組情報から検索及び分類して、検索及び分類結果を得る番組情報検索・分類手段と、検索及び分類結果により得られた番組を他の番組と識別できる表示形態の番組表を作成して、その番組表を表示する番組表表示手段とを有することを特徴とする。
【００１８】
また、上記の目的を達成するため、第３の発明は取得した番組情報に基づいて番組表を作成し、作成したその番組表を特定の番組が識別できるように表示する処理を、コンピュータにより実行させる番組情報処理プログラムであって、上記のコンピュータに、
番組情報を第１の記憶部に格納する第１のステップと、第１の記憶部から得た番組情報に含まれており、かつ、少なくとも番組視聴履歴に基づいて判断した一定値以上の高い嗜好度を示すキーワードである嗜好キーワードを第２の記憶部に格納する第２のステップと、第２の記憶部に格納されている複数の嗜好キーワードを嗜好度の高い順に配置した嗜好キーワード群を作成して表示部に表示させる第３のステップと、表示した嗜好キーワード群の中から、外部入力操作に応じて任意の一つの嗜好キーワードを選択指定する第４のステップと、第４のステップにより指定された嗜好キーワードに該当する第１の番組と、指定された嗜好キーワードよりも嗜好度の高いキーワード群に該当する第２の番組とを、第１の記憶部からの番組情報から検索及び分類して、検索及び分類結果を得る第５のステップと、検索及び分類結果に基づいて、第１の番組と第２の番組とを識別できる表示形態の番組表を作成して、その番組表を表示する第６のステップとを実行させることを特徴とする。
【００１９】
また、上記の目的を達成するため、第４の発明は取得した番組情報に基づいて番組表を作成し、作成したその番組表を特定の番組が識別できるように表示する処理を、コンピュータにより実行させる番組情報処理プログラムであって、上記のコンピュータに、
番組情報を第１の記憶部に格納する第１のステップと、第１の記憶部から得た番組情報に含まれており、かつ、少なくとも番組視聴履歴に基づいて判断した一定値以上の高い嗜好度を示すキーワードである嗜好キーワードを第２の記憶部に格納する第２のステップと、第２の記憶部に格納されている複数の嗜好キーワードのそれぞれについて、第１の記憶部から得た番組情報に基づいて、その嗜好キーワードが該当する番組数を検出する第３のステップと、第３のステップで検出した番組数を対応付けて第２の記憶部に格納されている複数の嗜好キーワードを嗜好度の高い順に配置した嗜好キーワード群を作成する第４のステップと、第４のステップで作成した嗜好キーワード群の中から、番組数が１以上である最も嗜好度の高い嗜好キーワードを自動指定する第５のステップと、第５のステップにより自動指定された嗜好キーワードに該当する番組を、第１の記憶部からの番組情報から検索及び分類して、検索及び分類結果を得る第６のステップと、検索及び分類結果により得られた番組を他の番組と識別できる表示形態の番組表を作成して、その番組表を表示する第７のステップとを実行させることを特徴とする。
【発明の効果】
【００２０】
第１、第３の発明によれば、嗜好キーワードに該当する第１の番組と、指定された嗜好キーワードよりも嗜好度の高いキーワード群に該当する第２の番組とを識別できる表示形態の番組表を表示することができるようにしたため、キーワードを一つに絞った明確な要求にも、複数のキーワード候補を持った要求にも同時に対応することができ、更に番組表への反映状況を常に確認しながら、容易に視聴したい番組群を絞り込み・拡大することができる。
【００２１】
また、第２、第４の発明によれば、番組数が１以上である最も嗜好度の高い嗜好キーワードを自動的に選択してその嗜好キーワードに該当する番組を、他の番組と識別できる表示形態の番組表を表示するようにしたため、ユーザによる操作を必要とすることなく、ユーザの嗜好に適すると考えられる番組を表示することができる。また、この発明によれば、該当番組数の無いキーワードを表示対象から除くことで、より効率良く視聴したい番組群を絞り込み・拡大することができる。
【発明を実施するための最良の形態】
【００２２】
次に、本発明を実施するための最良の形態について図面を参照して詳細に説明する。
【実施例１】
【００２３】
図１は本発明になる番組情報処理装置の実施例１のブロック図を示す。同図中、図１４と同一構成部分には同一符号を付してある。図１に示すように、本実施例の番組情報処理装置１５０は、従来からある番組情報格納手段１０１と、嗜好キーワード格納手段１０２と、番組表表示手段１０５とに加え、キーワード選択手段１０３に替えて嗜好キーワード作成及び嗜好度調整手段１０６を設けると共に、図１４の番組情報検索・分類手段１０４を変更した構成の番組情報検索・分類手段１０７を設けた構成である。
【００２４】
番組情報格納手段１０１には、放送波から抽出した、又はネットワーク経由で取得したチャンネル名、番組名、ジャンル名、出演者名などのキーワードを含む番組情報１１１が格納されている。この番組情報１１１は放送波からの抽出やインターネットなどのネットワーク経由で取得することを想定しているが、その形態や方式については特に限定しない。番組情報１１１の格納例を図１２に示す。図１２の番組情報４００は分類情報４０１に従って各番組のデータ４０２をキーワード４０３として格納しており、行が１つの番組、列が分類情報４０１毎のキーワード４０３を表す。
【００２５】
嗜好キーワード格納手段１０２には、ユーザの視聴履歴や録画履歴から視聴回数などを基にユーザの嗜好度が高いと判断した嗜好キーワード１１２が格納されている。この嗜好キーワード１１２の形態や方式については特に限定しない。例えば、図１４では視聴回数４１２が３回以上のキーワードを嗜好キーワード４１１とし、また、視聴回数４１２が多いキーワードほど嗜好度４１３が高いとしている。
【００２６】
嗜好キーワード作成及び嗜好度調整手段１０６は、チャンネル、番組、ジャンル、出演者などの分類情報に依らずキーワードを嗜好度の高い順に配置した嗜好キーワード群を作成する手段と、作成したこの嗜好キーワード群の中から任意の一つの嗜好キーワードを選択指定する嗜好度調整手段とからなる。ここで、嗜好度調整手段は、図２（ａ）、（ｂ）に示すように、チャンネル、番組、ジャンル、出演者などの分類情報に依らず嗜好度の高い順にキーワード（嗜好キーワード１１２）を上から下方向に順番に並べた嗜好キーワード群の中から、上下に移動自在な矩形形状のフォーカス３１２で任意の一つのキーワードを選択指定する構造の嗜好キーワード・レベルゲージ３１０を用いて嗜好度調整（嗜好キーワードの選択指定）を行う。フォーカス３１２の上下方向の移動は、ユーザ２００がリモコンの上下ボタンなどを操作することで可能である。
【００２７】
図２（ａ）はフォーカス３１２で指定するキーワード３１３として「ドラマ」を指定したときの嗜好キーワード・レベルゲージ３１０の状態を示す。図２（ｂ）はフォーカス３１２で指定するキーワード３１３として「ニュース」を指定したときの嗜好キーワード・レベルゲージ３１０の状態を示す。嗜好キーワード・レベルゲージ３１０は図２、図３に示すように、嗜好度の高い順に上から下方向に並べた嗜好キーワード群の中から、フォーカス３１２を、上下に移動してユーザ２００が所望するキーワードの位置に合わせることで、そのフォーカス３１２に位置を合わせたキーワード３１３が指定されて表示される構成である。キーワード群３１４は、フォーカス３１２で指定したキーワード３１３よりも嗜好度が高いキーワード群を示す。また、この嗜好キーワード・レベルゲージ３１０は、図３に示すように番組表３００の傍らに、番組表３００の縦軸に沿って番組表の３００の縦方向の大きさと同程度の大きさで表示される。
【００２８】
また、図１の番組情報検索・分類手段１０７は、嗜好キーワード作成及び嗜好度調整手段１０６により指定されたキーワード３１３に該当する番組３０４と、それよりも嗜好度の高いキーワード群３１４に該当する番組３０５とを分類して、検索及び分類結果１１４を得る。
【００２９】
また、図１の番組表表示手段１０５は、番組情報検索・分類手段１０７による検索及び分類結果１１４に従って分類された番組を識別できるように番組表を表示する。なお、番組表表示手段１０５は、番組情報検索・分類手段１０７から与えられる検索及び分類結果１１４に従って、分類された番組を識別できるように番組表表示することを想定しているが、キーワード３１３に該当する番組３０４、キーワード群３１４に該当する番組３０５をユーザに判り易く提示できるものであれば、色分けや文字サイズの変更など、その形態や方式については特に限定しない。
【００３０】
次に、本実施例の動作について、図４のフローチャート等と共に説明する。まず、番組情報処理装置１５０は、図３に示したように番組表３００の傍に配置された嗜好キーワード・レベルゲージ３１０にチャンネル、番組、ジャンル、出演者などの分類情報に依らず嗜好度が高い順に上から下方向に嗜好キーワード１１２を並べて表示する（図４のステップＳ１）。
【００３１】
嗜好キーワード１１２の嗜好度の決定方法としては、図５（ａ）、（ｂ）に示すように、分類情報４１３に応じて（図５（ａ）は分類情報「ジャンル」、同図（ｂ）は分類情報「出演者」）、その嗜好キーワード１１２の視聴回数４１２が３回以上で、かつ、多い順に並べて嗜好度を決定するか、あるいは図５（ｃ）に示すように、分類情報によらず、全ての嗜好キーワード１１２を視聴回数４１２の多い順に並べて嗜好度４１３を割り振る方法などが考えられる。
【００３２】
次に、ユーザ２００によるリモコンの上下ボタンなどの操作によって、嗜好キーワード・レベルゲージ３１０におけるフォーカス３１２の移動を受け付け（図４のステップＳ２）、図２又は図３に示すようにフォーカス３１２により指定されたキーワード３１３と、そのキーワード３１３よりも嗜好度の高いキーワード群３１４とをキーワード・キーワード群１１６として番組情報検索・分類手段１０７に渡す（図４のステップＳ３）。なお、ステップＳ２におけるフォーカス３１２の初期位置としては、嗜好度が最も高い嗜好キーワード１１２にすることが妥当であると考えられる（初期位置を自動的に決定する方法については後述する）。
【００３３】
その後、図１の番組情報検索・分類手段１０７は、ある決められた期間（例えば現在時刻から５時間）の番組情報１１１を番組情報格納手段１０１から取得して、嗜好キーワード・レベルゲージ３１０により与えられたキーワード・キーワード群１１６に従って、キーワード３１３に該当する番組３０４と、キーワード群３１４に該当する番組３０５とを分類して検索及び分類結果１１４を得る（図４のステップＳ４）。
【００３４】
続いて、番組情報検索・分類手段１０７から検索及び分類結果１１４を与えられた番組表表示手段１０５は、キーワード３１３に該当する番組３０４と、キーワード群３１４に該当する番組３０５とを識別できるように番組表を表示する（図４のステップＳ５）。続いて、キーワード・キーワード群１１６の変更要求があるかどうか判定し（図４のステップＳ６）、変更要求がない場合は処理を終了し、変更要求がある場合はステップＳ２へ戻り、再びフォーカス３１２を移動させる。
【００３５】
図６及び図７は、本発明の番組情報処理装置１５０の実施例１における番組表表示例を示す。図６及び図７に示すように、ユーザ２００が極めて簡単なリモコン操作（上下ボタン操作など）によって嗜好キーワード・レベルゲージ３１０のフォーカス３１２を移動させるだけで指定されたキーワード３１３に該当する番組３０４と、そのキーワード３１３よりも嗜好度の高いキーワード群３１４に該当する番組３０５とを識別できるように番組表３００の表示を行うことから、ユーザがジャンルに関して「ドラマが見たい」というような一つのキーワードに絞った明確な要求にも、より現実的なユーザ嗜好である「スポーツもファンである俳優が出るドラマも特定の音楽番組も見たい」というような複数のキーワード候補を持った要求にも同時に対応することができる。
【００３６】
なお、図６はフォーカス３１２によりキーワード３１３として「ドラマ」を指定した場合の番組表３００の表示例と嗜好キーワード・レベルゲージ３１０とを示し、図７はフォーカス３１２によりキーワード３１３として「ニュース」を指定した場合の番組表３００の表示例と嗜好キーワード・レベルゲージ３１０とを示す。
【００３７】
ここで、ユーザ２００がリモコンの上下のボタンなどを操作して、嗜好キーワード・レベルゲージ３１０のフォーカス３１２を移動するだけでキーワード３１３を決定するという方法は、例えばレバーを操作することで音量が変わるようなボリューム調整ケージのインターフェースに近い。しかし、本実施の形態では嗜好度が高い順に嗜好キーワード１１２を上から下の方向に並べることによって、フォーカス３１２により指定されたキーワード３１３、それよりも嗜好度の高いキーワード群３１４を指定可能であること、および、嗜好キーワード１１２の並びが番組表３００に反映される該当番組数に従ったものではない（嗜好度の高いキーワードほど該当番組数が多い、嗜好度の低いキーワードほど該当番組数が少ないといった関連性がない）ことが特徴であり、これらはボリューム調整ケージのようなインターフェースでは実現できないものである。
【００３８】
また、図６及び図７に示したようにフォーカス３１２により指定されたキーワード３１３とキーワード群３１４の表示を番組表表示手段１０５の識別方法と一致させることで、よりユーザにとって判別し易いものとなる。
【００３９】
以上の動作により、本実施例の番組情報処理装置１５０は、嗜好度の高い順に嗜好キーワード１１２を上から下方向に並べて、ユーザ２００がリモコンの上下ボタンなどを操作してフォーカス３１２を移動して任意のキーワードを指定することが可能な図２に示した嗜好キーワード・レベルゲージ３１０を備えた構成とし、図３のように番組表３００の傍に嗜好キーワード・レベルゲージ３１０を配置し、フォーカス３１２で指定されたキーワード３１３に該当する番組と、キーワード３１３よりも嗜好度の高いキーワード群３１４に該当する番組とを識別できるように番組表の表示を行うことで、キーワードを一つに絞った明確な要求にも、「野球」や「サッカー」などの複数のキーワード候補を持った要求にも同時に対応することができ、更にフォーカス３１２の移動を行うだけで番組表３００への反映状況を常に確認しながら、容易に視聴したい番組群を絞り込み・拡大することが可能となる。
【実施例２】
【００４０】
図８は本発明になる番組情報処理装置の実施例２のブロック図を示す。同図中、図１４と同一構成部分には同一符号を付してある。図８に示すように、本実施例の番組情報処理装置１８０は、従来からある番組情報格納手段１０１と、嗜好キーワード格納手段１０２と、番組表表示手段１０５とに加え、キーワード選択手段１０３に替えて嗜好キーワード作成及び嗜好度調整手段１０８を設けると共に、図１４の番組情報検索・分類手段１０４を変更した構成の番組情報検索・分類手段１０９を設けた構成である。
【００４１】
嗜好キーワード作成及び嗜好度調整手段１０８は、実施例１の嗜好キーワード作成及び嗜好度調整手段１０６と同様の機能を備え、更に嗜好キーワード１１２に対する該当番組数１１５を番組情報検索・分類手段１０９から取得して、嗜好度の高い順に嗜好キーワード１１２と該当番組数１１５を上下に並べ、嗜好度の最も高いキーワードから少なくとも１以上の該当番組数が得られるキーワードを嗜好キーワード・レベルゲージ３１０のフォーカスの初期位置とする構成である。
【００４２】
次に、本実施例の動作について図９のフローチャートと図１０及び図１１の表示例と共に説明する。図８の嗜好キーワード作成及び嗜好度調整手段１０８は嗜好キーワード１１２に対する該当番組数１１５を番組情報検索・分類手段１０４によって取得する（図９のステップＳ１１）。なお、この際に該当する番組の検索対象とする番組情報は、後述するステップＳ１６において図８の番組情報検索・分類手段１０９が検索・分類する範囲と同範囲（例えば現在時刻から５時間など）を想定しているが、それよりも広範囲であっても構わない。
【００４３】
次に、嗜好キーワード作成及び嗜好度調整手段１０８は、チャンネル、番組、ジャンル、出演者などの分類情報に依らず嗜好度の高い順に嗜好キーワード１１２を上から下方向に順番に配置すると共に、各嗜好キーワード１１２毎にその該当番組数１１５を対応付けて表示する（図９のステップＳ１２）。これにより、ユーザ２００はキーワード・キーワード群１１６として効果的なキーワードなのか効果のないキーワードなのかを一目で判断することができる。また、該当番組数が”０”の嗜好キーワードを表示しない、あるいはフォーカス３１２の移動先に含めないことで、ユーザ２００がリモコンの上下ボタンなどを操作する回数を削減することも可能になる。
【００４４】
実施例１においては、ユーザ２００がリモコンの上下ボタンなどを操作してフォーカス３１２の上下方向の移動を行うことでキーワード・キーワード群１１６を選択すると述べたが、実施例２ではこのフォーカス３１２の初期位置を自動的に決定するために、嗜好度の最も高いキーワードから少なくとも１以上の該当番組数が得られるキーワードを選択する（図９のステップＳ１３）。嗜好度の高いキーワードの該当番組数”０”である場合には、ステップＳ１３に戻り、次に優先度の高いキーワードを選択する処理を繰り返す（図９のステップＳ１４）。
【００４５】
前記までのステップＳ１１〜Ｓ１４によって一つのキーワードを選択した後、嗜好キーワード作成及び嗜好度調整手段１０８における嗜好キーワード・レベルゲージ３１０のフォーカス３１２をその選択したキーワードへ自動的に移動して、フォーカス３１２で指定したキーワード３１３およびキーワード３１３よりも嗜好度の高いキーワード群３１４をキーワード・キーワード群１１６として図８の番組情報検索・分類手段１０９に渡す（図９のステップＳ１５）。
【００４６】
その後、番組情報検索・分類手段１０９は、ある決められた期間（例えば現在時刻から５時間）の番組情報１１１を番組情報格納手段１０１から取得して、嗜好キーワード作成及び嗜好度調整手段１０８により与えられたキーワード・キーワード群１１６に従って、キーワード３１３に該当する番組３０４と、キーワード群３１４に該当する番組３０５とを分類して検索及び分類結果１１４を得る（図９のステップＳ１６）。
【００４７】
続いて、番組情報検索・分類手段１０９から上記の検索及び分類結果１１４を与えられた番組表表示手段１０５は、キーワード３１３に該当する番組３０４と、キーワード群３１４に該当する番組３０５とを識別できるように番組表を表示する（図９のステップＳ１７）。以降はキーワード・キーワード群１１６の変更要求に応じて、実施例１の方法によってユーザの要求に従う。
【００４８】
図１０及び図１１は、本発明の番組情報処理装置の実施例２における番組表表示例を示す。図１０は図９のフローチャートに従って、嗜好キーワード・レベルゲージ３１０が、チャンネル、番組、ジャンル、出演者などの分類情報に依らず嗜好度の高い順に嗜好キーワード１１２と該当番組数１１５とを上下方向に並べて、番組表３００の傍らに表示した例を示す。なお、図１０は番組情報処理装置の内部状態を示しており、ユーザ２００に対しては表示されていない。
【００４９】
次に図１１に示すように嗜好キーワード・レベルゲージ３１０において、嗜好度が最も高い「スポーツ」の該当番組数が”０”であるため、該当番組数が”１”以上ある「出演者Ａ」を選択してフォーカス３１２を移動し、「出演者Ａ」に該当する番組３０４を識別できるように番組表３００を図１１に示すように表示する。この例では「ダウンタウン」に該当する番組が１つであるため、これが最もユーザの嗜好に適する番組と考えられる。但し、従来技術でも述べているように嗜好度は必ずしもユーザ嗜好を完全に反映できるものではないため、実施例１で示したようにユーザ２００が極めて簡単なリモコン操作（上下ボタンなど）によって番組表３００への反映状況を常に確認しながら、容易に視聴したい番組群を絞り込み・拡大できることが必要となる。
【００５０】
以上のように、本実施例の番組情報処理装置１８０によれば、嗜好キーワード作成及び嗜好度調整手段１０８が、嗜好キーワード１１２に対する該当番組数１１５を番組情報検索・分類手段１０９から取得して、嗜好キーワード・レベルゲージ３１０においてチャンネル、番組、ジャンル、出演者などの分類情報に依らず嗜好度の高い順に嗜好キーワード１１２を該当番組数１１５と共に上から下方向に順番に並べて、少なくとも１以上の該当番組数が得られる嗜好度の最も高いキーワードをフォーカス３１２の初期位置とすることで、ユーザ２００がキーワード３１３およびキーワード群３１４を選択するためのフォーカス移動を行うことなく、自動で少なくとも１番組（１番組の場合は最もユーザの嗜好に適すると考えられる番組となる）を表示することを可能とする。更に、本実施例によれば、該当番組数の無いキーワードを嗜好キーワード・レベルゲージ３１０のフォーカス３１２の移動対象から除くことで、より効率良く視聴したい番組群を絞り込み・拡大することが可能となる。
【００５１】
なお、本発明は以上の実施の形態及び実施例に限定されるものではなく、例えば、図１の番組情報処理装置１５０の構成あるいは図４のフローチャートの各ステップをコンピュータにより実行させる番組情報処理プログラム、又は図８の番組情報処理装置１８０の構成あるいは図９のフローチャートの各ステップをコンピュータにより実行させる番組情報処理プログラムも包含するものである。この場合、番組情報処理プログラムは、記録媒体に記録されていて記録媒体からコンピュータに取り込まれてもよいし、通信ネットワークを介して配信されてコンピュータに取り込まれてもよく、更には、コンピュータにファームウェアとして組み込まれていてもよい。
【図面の簡単な説明】
【００５２】
【図１】本発明の番組情報処理装置の実施例１のブロック図である。
【図２】本発明の番組情報処理装置における嗜好キーワード・レベルゲージの一例の図である。
【図３】本発明の番組情報処理装置における嗜好キーワード・レベルゲージによる番組表表示例である。
【図４】図１の番組情報処理装置の動作説明用フローチャートである。
【図５】図１の番組情報処理装置における嗜好キーワードの嗜好度の決定方法の各例を示す図である。
【図６】図１の番組情報処理装置における嗜好キーワード・レベルゲージと番組表の一例を示す図である。
【図７】図１の番組情報処理装置における嗜好キーワード・レベルゲージと番組表の他の例を示す図である。
【図８】本発明の番組情報処理装置の実施例２のブロック図である。
【図９】図８の番組情報処理装置の動作説明用フローチャートである。
【図１０】図８の番組情報処理装置の内部状態の一例を示す図である。
【図１１】図８の番組情報処理装置における番組表表示の一例を示す図である。
【図１２】番組情報の一例を示す図である。
【図１３】嗜好番組情報の各例を示す図である。
【図１４】従来の番組情報処理装置の一例のブロック図である。
【図１５】特許文献１記載の番組情報処理装置の番組表表示の一例を示す図である。
【図１６】特許文献１記載の番組情報処理装置の番組表表示の他の例を示す図である。
【図１７】特許文献２記載の放送番組の表示方法及び放送番組表示装置及び放送受信器の番組表表示例を示す図である。
【符号の説明】
【００５３】
１０１  番組情報格納手段
１０２  嗜好キーワード格納手段
１０５  番組表表示手段
１０６、１０８  嗜好キーワード作成及び嗜好度調整手段
１０７、１０９  番組情報検索・分類手段
１１１  番組情報
１１２  嗜好キーワード
１１４  検索・分類結果
１１５  該当番組数
１１６  キーワード・キーワード群
１５０、１８０  番組情報処理装置
２００  ユーザ
３００  番組表
３０４  フォーカスで指定されたキーワード３１３に該当する番組
３０５  キーワード群３１４に該当する番組
３１０  嗜好キーワード・レベルゲージ
３１２  フォーカス
３１３  フォーカスで指定されたキーワード
３１４  キーワード３１３よりも嗜好度の高いキーワード群
４１２  視聴回数
４１３  嗜好度
【図１】
2009010848.tif 000003
【図４】
2009010848.tif 000004
【図５】
2009010848.tif 000005
【図８】
2009010848.tif 000006
【図９】
2009010848.tif 000007
【図１０】
2009010848.tif 000008
【図１２】
2009010848.tif 000009
【図１３】
2009010848.tif 000010
【図１４】
2009010848.tif 000011
【図１５】
2009010848.tif 000012
【図１６】
2009010848.tif 000013
【図１７】
2009010848.tif 000014
【図２】
2009010848.tif 000015
【図３】
2009010848.tif 000016
【図６】
2009010848.tif 000017
【図７】
2009010848.tif 000018
【図１１】
2009010848.tif 000019